(57)【要約】  【課題】  本発明の目的は、地中に埋設した貯水ボックスへの貯水量をより均一化でき、もって高温時の冷却効率を高めることのできる潅水システム及び潅水システムに用いられる貯水ユニットを提供することにある。  【解決手段】  本発明の潅水システムに用いられる貯水ユニット５は、上部に開口部を有する貯水ボックス６と貯水ボックス６の開口部を覆い貯水ボックス６に通じる通水孔１２を有する天板７とからなり平面状に敷き詰められる貯水ユニット５と、貯水ユニット５上に敷き詰められる透水性防砂部材８と、透水性防砂部材８の上方に敷き詰められる保水性ブロック１０とを有する潅水システムに用いられる貯水ユニット５において、天板７には集水した水分を貯水ボックス５へ導く天板７を貫通する通水孔１２が設けられていることを特徴としている。  【選択図】  図２
2008240388.tif 000002
【特許請求の範囲】
【請求項１】
上部に開口部を有する貯水ボックスと該貯水ボックスの開口部を覆い前記貯水ボックスに通じる通水孔を有する天板とからなり平面状に敷き詰められる貯水ユニットと、該貯水ユニット上に敷き詰められる透水性防砂部材と、該透水性防砂部材の上方に敷き詰められる保水性ブロックとを有する潅水システムに用いられる前記貯水ユニットにおいて、前記天板には集水した水分を前記貯水ボックスへ導く天板を貫通する通水孔が設けられていることを特徴とする潅水システムに用いられる貯水ユニット。
【請求項２】
前記天板には縦方向または横方向のいずれかに複数の通水孔が所定間隔で形成されているか、あるいは円周方向に複数の通水孔が所定間隔で形成されていることを特徴とする請求項１記載の潅水システムに用いられる貯水ユニット。
【請求項３】
前記天板に縦方向または横方向のいずれかに所定間隔で形成されている複数の通水孔は、前記天板面を縦横にそれぞれ整数等分した場合に形成される複数の図形の中心位置に形成されていることを特徴とする請求項２記載の潅水システムに用いられる貯水ユニット。
【請求項４】
前記天板の形状は正方形または長方形で、前記天板面を縦横にそれぞれ整数等分した場合に形成される複数の図形が正方形または長方形であることを特徴とする請求項３記載の潅水システムに用いられる貯水ユニット。
【請求項５】
前記天板の上面には、前記通水孔の周囲に凹部が形成されていることを特徴とする請求項１〜請求項４いずれかに記載の潅水システムに用いられる貯水ユニット。
【請求項６】
前記天板の上面に形成されている凹部は、その一部が前記通水孔に向かって下降するように傾斜して形成されていることを特徴とする請求項５記載の潅水システムに用いられる貯水ユニット。
【請求項７】
前記天板の上面に形成されている凹部は、前記通水孔に向かって漏斗状に凹んだ形状をしていることを特徴とする請求項５記載の潅水システムに用いられる貯水ユニット。
【請求項８】
前記天板の上面には前記通水孔に繋がる溝が形成されていて、該溝は前記通水孔に向かって溝幅が広がる平面形状が略三角形状の溝であることを特徴とする請求項１〜請求項７いずれかに記載の潅水システムに用いられる貯水ユニット。
【請求項９】
前記天板の通水孔は、その内面に天板の厚さ方向に延びる溝を有していることを特徴とする請求項１〜請求項８いずれかに記載の潅水システムに用いられる貯水ユニット。
【請求項１０】
前記天板の通水孔は、前記天板の下面において通水孔の出口周囲に下方を向いた突起を有していることを特徴とする請求項１〜請求項９いずれかに記載の潅水システムに用いられる貯水ユニット。
【請求項１１】
前記天板はその下面に、複数個の角錐状または円錐状の突起を有していることを特徴とする請求項１〜請求項１０記載の潅水システムに用いられる貯水ユニット。
【請求項１２】
前記貯水ユニットは、前記天板を貫通する通水孔あるいは貯水ボックスのオーバーフローパイプの挿入口以外に開口孔を有していないことを特徴とする請求項１〜請求項１１いずれかに記載の潅水システムに用いられる貯水ユニット。
【請求項１３】
上部に開口部を有する貯水ボックスと該貯水ボックスの開口部を覆い前記貯水ボックスに通じる通水孔を有する天板とからなり平面状に敷き詰められる貯水ユニットと、該貯水ユニット上に敷き詰められる透水性防砂部材と、該透水性防砂部材の上方に敷き詰められる保水性ブロックとを有する潅水システムにおいて、前記貯水ユニットは請求項１〜請求項１２いずれかに記載の貯水ユニットであることを特徴とする潅水システム。
【請求項１４】
前記保水性ブロックと前記透水性防砂部材との間に透水性のクッション性介在物が設けられていることを特徴とする請求項１３記載の潅水システム。
【発明の詳細な説明】
【技術分野】
【０００１】
本発明は、例えば、舗道や屋上等に布設される潅水システム及びこの潅水システムに用いられる貯水ユニットに関するものである。
【背景技術】
【０００２】
都市部の舗道やビルの屋上は、通常、アスファルトやコンクリートで固められている。そのため夏季の日中においては温度上昇が激しく、舗道を歩いたり、屋上で過ごすにはとても厳しい状況にある。特に温暖化現象が顕著になってきた昨今においては、日中のみならず夜間においても、この熱がアスファルトやビルの屋上から放熱されて、いわゆるヒートアイランド現象を引き起こす要因の一つにもなっている。
【０００３】
このヒートアイランド現象を緩和しようと、道路の脇に木を植えたり、ビルの屋上に芝生や木を植えたり、あるいは種々の草花を植える試みも成されているが、それだけでは十分でなく、さらなる工夫が求められている。
この一環として、特許文献１にあるように保水性舗装ブロック本体の下に容器状の保水タンクを設置し、この保水タンクに降った雨水を溜めておき、これを高温時には不織布を介して毛細管現象により上方に吸い上げ、これを保水性舗道ブロック本体から蒸発させて、その蒸発潜熱により保水性舗装ブロック本体を冷やそう、との試みも成されている。
すなわち、降雨時には雨水を保水タンクに貯水し、雨水が一挙に河川に流れ込むのを防止し、高温時には貯水した雨水で保水性舗装ブロック本体を冷やしてヒートアイランド現象の緩和に寄与しようとするものである。
【０００４】
【特許文献１】特許第２８８５０８５号公報（特開平８‐８５９０７号）
【発明の開示】
【発明が解決しようとする課題】
【０００５】
しかしながら特許文献１に開示されている保水性舗装ブロックの場合、保水性を有する保水性舗装ブロック本体が路面に露出しているため、歩行者が歩く頻度の多い場所や街路樹の落ち葉が落ちる場所では保水性舗装ブロック本体の表面が目詰まりを起こし易く、そのような場合、複数個布設されている保水性舗装ブロック本体の吸水性にばらつきが生じ、保水タンク毎に貯水量にばらつきが出易い。その結果、高温時に保水性舗装ブロック本体を冷却する冷却効果にもばらつきが出て、冷却効率が悪い、という問題がある。
【０００６】
前述の問題に鑑み本発明の目的は、地中に埋設した貯水ボックスへの貯水量をより均一化でき、もって高温時の冷却効率を高めることのできる潅水システム及びこの潅水システムに用いられる貯水ユニットを提供することにある。
【課題を解決するための手段】
【０００７】
前記目的を達成すべく本発明の請求項１記載の潅水システムに用いられる貯水ユニットは、上部に開口部を有する貯水ボックスと該貯水ボックスの開口部を覆い前記貯水ボックスに通じる通水孔を有する天板とからなり平面状に敷き詰められる貯水ユニットと、該貯水ユニット上に敷き詰められる透水性防砂部材と、該透水性防砂部材の上方に敷き詰められる保水性ブロックとを有する潅水システムに用いられる前記貯水ユニットにおいて、前記天板には集水した水分を前記貯水ボックスへ導く天板を貫通する通水孔が設けられていることを特徴とするものである。
【０００８】
また請求項２記載の潅水システムに用いられる貯水ユニットは、請求項１記載の潅水システムに用いられる貯水ユニットにおいて、前記天板には縦方向または横方向のいずれかに複数の通水孔が所定間隔で形成されているか、あるいは円周方向に複数の通水孔が所定間隔で形成されていることを特徴としている。
【０００９】
さらに請求項３記載の潅水システムに用いられる貯水ユニットは、請求項２記載の潅水システムに用いられる貯水ユニットにおいて、前記天板に縦方向または横方向のいずれかに所定間隔で形成されている複数の通水孔は、前記天板面を縦横にそれぞれ整数等分した場合に形成される複数の図形の中心位置に形成されていることを特徴としている。
さらにまた請求項４記載の潅水システムに用いられる貯水ユニットは、請求項３記載の潅水システムに用いられる貯水ユニットにおいて、前記天板の形状は正方形または長方形で、前記天板面を縦横にそれぞれ整数等分した場合に形成される複数の図形が正方形または長方形であることを特徴とするものである。
【００１０】
また請求項５記載の潅水システムに用いられる貯水ユニットは、請求項１〜請求項４いずれかに記載の潅水システムに用いられる貯水ユニットにおいて、前記天板の上面には、前記通水孔の周囲に凹部が形成されていることを特徴とする。
加えて請求項６記載の潅水システムに用いられる貯水ユニットは、請求項５記載の潅水システムに用いられる貯水ユニットにおいて、前記天板の上面に形成されている凹部は、その一部が前記通水孔に向かって下降するように傾斜して形成されていることを特徴とするものである。
【００１１】
請求項７記載の潅水システムに用いられる貯水ユニットは、請求項５記載の潅水システムに用いられる貯水ユニットにおいて、前記天板の上面に形成されている凹部は、前記通水孔に向かって漏斗状に凹んだ形状をしていることを特徴とするものである。
また請求項８記載の潅水システムに用いられる貯水ユニットは、請求項１〜請求項７いずれかに記載の潅水システムに用いられる貯水ユニットにおいて、前記天板の上面には前記通水孔に繋がる溝が形成されていて、該溝は前記通水孔に向かって溝幅が広がる平面形状が略三角形状の溝であることを特徴としている。
【００１２】
さらに請求項９記載の潅水システムに用いられる貯水ユニットは、請求項１〜請求項８いずれかに記載の潅水システムに用いられる貯水ユニットにおいて、前記天板の通水孔は、その内面に天板の厚さ方向に延びる溝を有していることを特徴とする。
また請求項１０記載の潅水システムに用いられる貯水ユニットは、請求項１〜請求項９いずれかに記載の潅水システムに用いられる貯水ユニットにおいて、前記天板の通水孔は、前記天板の下面において通水孔の出口周囲に下方を向いた突起を有していることを特徴としている。
【００１３】
加えて請求項１１記載の潅水システムに用いられる貯水ユニットは、請求項１〜請求項１０記載の潅水システムに用いられる貯水ユニットにおいて、前記天板はその下面に、複数個の角錐状または円錐状の突起を有していることを特徴とするものである。
また請求項１２記載の潅水システムに用いられる貯水ユニットは、請求項１〜請求項１１いずれかに記載の潅水システムに用いられる貯水ユニットにおいて、前記貯水ユニットは、前記天板を貫通する通水孔あるいは貯水ボックスのオーバーフローパイプの挿入口以外に開口孔を有していないことを特徴としている。
【００１４】
また請求項１３記載の潅水システムは、上部に開口部を有する貯水ボックスと該貯水ボックスの開口部を覆い前記貯水ボックスに通じる通水孔を有する天板とからなり平面状に敷き詰められる貯水ユニットと、該貯水ユニット上に敷き詰められる透水性防砂部材と、該透水性防砂部材の上方に敷き詰められる保水性ブロックとを有する潅水システムにおいて、前記貯水ユニットは請求項１〜請求項１２いずれかに記載の貯水ユニットであることを特徴とするものである。
【００１５】
さらに請求項１４記載の潅水システムは、請求項１３記載の潅水システムにおいて、前記保水性ブロックと前記透水性防砂部材との間に透水性のクッション性介在物が設けられていることを特徴とするものである。
【発明の効果】
【００１６】
このようにしてなる本発明によれば、地中に埋設した貯水ボックスへの貯水量をより均一化でき、もって高温時の冷却効率を高めることのできる潅水システム及びこの潅水システムに用いられる貯水ユニットを提供することができる。
【発明を実施するための最良の形態】
【００１７】
以下に本発明の潅水システム及びこの潅水システムに用いられる貯水ユニットの一実施例を図を用いて詳細に説明する。
図１は本発明の潅水システムを舗道に布設した状態を示す概略断面図である。図１に示すように、地面を所定深さ掘って、これを整地して固めた路床１の上に、砕石２等を所定の厚さに敷き詰めた。次に、この砕石２上に所定厚さの砂を被せてサンドクッション３を形成して下地を形成した。
【００１８】
続いてこのサンドクッション３の上に本発明に係る樹脂製の貯水ユニット５を敷き詰める。この貯水ユニット５は、内部に雨水等を貯水する貯水空間を有し、かつ上部に開口部を有する貯水ボックス６と、この貯水ボックス６の上部の開口部を覆う天板７とからなっている。この天板７には後述するように天板７を貫通する通水孔１２が設けられていて、地表から浸透してきた雨水はこの通水孔１２から貯水ボックス６に入って貯水ボックス６内部の貯水空間に溜まるようになっている。
【００１９】
舗道面一杯に貯水ユニット５を敷き詰めたら、貯水ユニット５の天板７の上に、すなわち、天板７の上表面に接するように、例えば、１〜５ｍｍ程度の厚さを有する不織布等の透水性シ−トを、必要なら複数枚重ねて形成した透水性防砂部材８を被せる。この透水性防砂部材８は、後述する保水性ブロック１０を浸透してきた雨水を複数個の貯水ユニット５の天板７上に拡散させ、効率よく、より多くの貯水ユニット５の貯水ボックス６に雨水を分配するように作用する。同時に、この透水性防砂部材８は土砂等が天板７の通水孔１２から貯水ボックス６内に侵入し、堆積するのを防止する防砂部材としても作用する。
【００２０】
また天板７よりも若干大き目に切断しておいた透水性防砂部材８を、天板７の上表面に予め直接、接着剤で貼り付けたり、ビス等で固定しておいてもよい。この場合、隣接する天板７上の透水性防砂部材８同士が互いに接触していて、お互いの間で含んでいる水の移動が可能な状態になっていることが重要である。またこのように天板７上表面に透水性防砂部材８を予め貼り付けおけば、貯水ユニット５と透水性防砂部材８の設置が同時にできるため布設作業性が向上する利点がある。
【００２１】
透水性防砂部材８を敷き詰めたら、再度この上に、例えば砂を所定厚さ敷き詰めてサンドクッションと呼ばれているクッション性介在物９の層を形成する。最後にこのクッション性介在物９の上に、例えば、この例のように舗装用の潅水システムであれば、具体的にはインターロッキングブロックからなる保水性ブロック１０を敷き詰める。尚、図１で符号１１は雨を示している。
【００２２】
このようにしてなる図１に示す本発明の潅水システムによれば、降った雨１１は、保水性ブロック１０から矢印が示すように下方に浸透していって、クッション性介在物９をさらに通過して透水性防砂部材８に至る。
透水性防砂部材８に到達した雨水は、透水性シ−トからなるこの透水性防砂部材８内を矢印が示すように水平方向にも浸透し拡散する。そして時間の経過とともに貯水ユニット５の天板７の上面に付着し、この天板７に形成されている一個または複数個の通水孔１２を通過して貯水ボックス６の貯水空間に落下して溜まる。もし大雨等で雨水が貯水ボックス６内から溢れるような場合には、透水性防砂部材８を介して水平方向に拡散して、最後には地中に浸透していく。
【００２３】
尚、必要なら、貯水ボックス６の貯水空間にオーバーフローパイプの一端を挿入しておき、他端を最寄りの排水溝や下水本管に繋いでおけば、オーバーフローパイプを介して貯水ボックス６から溢れた雨水を排水溝や下水本管に導いて流すこともできる。
このように貯水ボックス６や天板７にオーバーフローパイプや通水孔１２以外に不必要な開口孔を設けないと、貯水ユニット５内に土砂が侵入するのを防止でき、貯水ユニット５の貯水量の減少を防止できる。しかも必要な場合には、貯水ボックス６から溢れるような雨水は、前述したようにオーバーフローパイプを介して排水溝等に流すこともできる。この場合、オーバーフローパイプと貯水ボックス６の接続部は、ゴムパッキンやシール材等、公知の方法でシールすればよい。
【００２４】
尚、貯水ボックス６内に、毛細管現象により貯水ボックス６内の水を吸い上げることのできる導水性部材を設置してもよい。具体的には、貯水ボックス６の底面と天板７上の透水性防砂部材８とを天板７に設けてある通水孔１２の幾つかを介して繋ぐように不織布あるいはシリカ粉末を円柱状に固めたものを導水性部材として設ける。
このようにしておけば、貯水ボックス６内の雨水は、毛細管現象により導水性部材を介して上方に吸い上げられ透水性防砂部材８に吸収され、しかる後、透水性防砂部材８からクッション性介在物９を抜けて、最後に保水性ブロック１０から大気中に蒸気となって放散される。そして蒸発する際の蒸発潜熱で保水性ブロック１０等の部材を冷却し、周囲の温度を下げる。このように導水性部材を設ければ、貯水ボックス６内の雨水をより効率良く保水性ブロック１０から大気中へ放散することができる。
【００２５】
このようにしてなる本発明の潅水システムによれば、貯水ボックス６と天板７とからなる貯水ユニット５の上に透水性シ−ト等からなる透水性防砂部材８を設けているため、保水性ブロック１０から下方に浸透してきた雨水は、透水性防砂部材８に至るや否や水平方向にも拡散し、多くの貯水ユニット５の上、具体的には天板７の表面に至る。その結果、各々の天板７に形成されている通水孔１２から下方に落下して貯水ボックス６内の貯水空間に溜まる。
【００２６】
尚、透水性防砂部材８は、前述したように単に保水性ブロック１０から下方に浸透してきた雨水を複数の貯水ユニット５上により均一に拡散するだけでなく、クッション性介在物９を形成している砂等が天板７に設けられている通水孔１２から、あるいは天板７と貯水ボックス６との隙間から貯水ボックス６内に入り込んで堆積し、貯水ボックス６内の貯水空間を狭めるのを防止している。すなわち、土砂の侵入防止部材としても作用している。
【００２７】
また、透水性防砂部材８の上にクッション性介在物９を設けておくと、保水性ブロック１０に加わった衝撃等を大幅に緩和して貯水ユニット５に伝えるだけでなく、貯水ユニット５上に保水性ブロック１０を並べる際、敷き詰めた複数個の貯水ユニット５の面が完全に面一でなくとも、このクッション性介在物９でその凸凹を調整できる。それ故、保水性ブロック１０を並べ易い、という効果も期待できる。
【００２８】
以上のようにしてなる本発明の潅水システムでは、透水性防砂部材８を介して雨水を水平方向に拡散させ、より多くの天板７上に雨水を分配させることができる。加えて、各天板７上に至った雨水を貯水ボックス６内の貯水空間により効率良く落下させるために、天板７に種々の工夫をさらに施した。以下に図面を用いて、それらの例を詳細に説明する。
【００２９】
図２（ａ）、（ｂ）に示す天板７は、天板７の上面中央に設けた通水孔１２の周囲に凹部１３を形成したもので、図２（ａ）は天板７を上から見た平面図、図２（ｂ）はその側面図である。このように通水孔１２の周囲に凹部１３が形成されているため、透水性防砂部材８から滴下した雨水はこの凹部１３に効率よく貯えられる。このように凹部１３を設けておけば、天板７から雨水を外に逃がさないようにしながら通水孔１２に集め、下方の貯水ボックス６内に導くことができる。
因みに、図２のように、天板７に通水孔１２を１個のみ設ける場合には、できるだけ天板７の中央部に形成する。このようにすればより集水効率を高めることができる。
【００３０】
また前記天板７の上面に形成されている凹部１３を、図３に示すように、通水孔１２に向かって下降するように傾斜した凹部にすると、天板７上に集まってきた雨水は、より早く通水孔１２に集まり、貯水ボックス６内に集められる。因みに、図３は天板７の側面図である。この場合にも通水孔１２を１個だけ設ける場合には、天板７のほぼ中央に設ければ、各方向から同様に雨水が中央に集まり易いので集水効率を高めることができる。
また図３では天板７の外縁から直ぐに傾斜が始まっているが、外縁よりもより内側から傾斜が始まる形状であってもよい。但し、図３のように外縁から直ぐに傾斜が始まっていると、天板７上に至った雨水をより無駄なく中央の通水孔１２に集めることができる。
【００３１】
さらにまた図４（ａ）、（ｂ）に示すように、凹部１３を通水孔１２に向かって漏斗状に凹んだ形状にしてもよい。このように凹部１３を漏斗状に形成すれば、雨水はより早く通水孔１２に集まる。ここで図４（ａ）は天板７の平面図、そして図４（ｂ）その側面図である。
【００３２】
図５もまた天板７の別の例を示すもので、天板７の側面図である。
図５に示すものは、天板７の上表面に、上表面から見て、リング状あるいは略正方形状等の凹部１３を設けたもので、この凹部１３内に所定間隔でバランス良く、すなわち、できるだけ等間隔で複数個の通水孔１２を設けたものである。ここで、集水効率の点では、凹部１３をできるだけ天板外周近傍に、天板外周に沿って連続した凹部１３として形成するのが望ましいが、通水孔１２と凹部１３を設ける位置を対応させて、凹部１３を天板外周近傍に、天板外周に沿って所定間隔で設けることもできる。また、凹部１３に設ける通水孔１２の数は、連続して凹部１３を設けた場合も、不連続的に凹部１３を設けた場合も、必要に応じて調整できる。しかも凹部１３は図５に示すように漏斗状に形成されていて、雨水を通水孔１２により集め易くなっている。連続した凹部１３を設けた場合と不連続的に凹部１３を設けた場合とでは、集水効率の点では、連続した凹部１３の方が望ましいが、天板７の機械的強度の観点からは不連続的に凹部１３を設ける方が好ましい。
【００３３】
図６（ａ）、（ｂ）は本発明に係る貯水ユニットに使用される別の天板７の例を示しており、図６（ａ）は天板７の平面図、図６（ｂ）はその側面図である。
図６が示す天板７は、通水孔１２に繋がる溝１５が、この例では十字状に四本形成されている。より詳細には、この溝１５は通水孔１２に向かって溝幅が広がる平面形状が略三角形状の溝である。このような溝１５が天板７の表面に形成されていると、溝１５が水を吸った透水性防砂部材８と接触状態にある場合、透水性防砂部材８内を水平方向に拡散しようとしている水に対して表面張力を働かせて、透水性防砂部材８内の水分を溝１５側に吸水する作用を果す。そのためより効率よく透水性防砂部材８から貯水ボックス６への集水を行うことができる。
【００３４】
また、図７は本発明の潅水システムに用いられる貯水ユニットの天板７の別の例を示すもので、図７に示す天板７の特徴は、通水孔１２の内面に天板７の表裏（厚さ方向）に連続する溝、すなわち、上下方向の溝１７が設けられている点に特徴がある。この図の場合には、通水孔１２の周方向に９０度間隔で断面楔形状の溝１７が四本形成されている。
このように通水孔１２内に溝１７が存在すると、通水孔１２の入口に到達した雨水は、重力と表面張力の両方の力で貯水ボックス６内に呼び寄せられる。それ故、雨水をより素早く貯水ボックス６の貯水空間へと集水することができる。
因みに、ここでも図７（ａ）は天板７を上から見た平面図、図７（ｂ）はその側面図である。
尚、図７では通水孔１２を１個のみ設けているが、天板７に、例えば、等間隔で図７に示すような通水孔１２を複数個形成してもよい。
【００３５】
さらにまた図８（ａ）、（ｂ）は、本発明に係る貯水ユニット５に用いる別の天板７の例を示している。図８（ａ）は天板７の側面図、図８（ｂ）は天板７を下から見た平面図である。
図８が示す天板７の特徴は、天板７の下面において通水孔１２はその出口周囲に頂角部が下方を向いた断面三角形状のリング状の突起１８、具体的にはこの例では、断面直角三角形状のリング状の突起１８を有している点にある。
このように通水孔１２の出口周囲に突起１８があると、表面張力により雨水はリング状突起１８の先端に集まり易い。そのためより早く水分を貯水ボックス６内に集めることが可能になる。
尚、このリング状の突起１８としては、前述したように通水孔１２の出口周囲に連続するリング状の突起の他に、通水孔１２の出口周囲に、間欠的に等間隔で、例えば円柱状の突起とか針状の突起１８を複数個配置せしめても同様の効果を期待できる。
この図８の例では通水孔１２は１個のみであるが、天板７に規則性のある間隔で通水孔１２を複数個設けてもよいことは言うまでもない。
【００３６】
また図９（ａ）、（ｂ）は、本発明に係る貯水ユニット５に用いる別の天板７の例を示すもので、図９（ａ）は、天板７の側面図、図９（ｂ）は天板７を下から見た平面図である。
図９に示す天板７の特徴は、天板７の下面において、通水孔１２の出口の周囲に角錐状の突起２０を複数個、その先端を下方に向けて設置せしめている点にある。このようにしておけば、例えば、通水孔１２の内面を伝って落下してきた水分は、突起２０の先端に集まり、より大きな水滴になり易い。そのため重力により、より素早く貯水ボックス６内に落下し易くなる。因みに、図では角錐状の突起２０のみ示しているが、円錐状の突起であっても同様の効果を得ることができる。また通水孔１２を複数個設けることもできる。
【００３７】
図１０は本発明に係る貯水ユニット５のさらに別の天板７の例を示す縦断面図である。この図に示す天板７の特徴の一つは、天板７に複数個の通水孔１２を設けた点にある。加えて、各通水孔１２の入口には漏斗状の凹部１３が設けられ、内面には溝１７が通水孔１２の周方向に等間隔で四本ずつ設けられ、さらには天板７の下面に前述したような角錐状の突起２０が複数個設けられている点にも特徴がある。
このようにしておけば、前述した凹部１３、溝１７及び突起２０それぞれの作用効果を１枚の天板７に集めることができ好ましい。もちろんこの他にも、図２〜図５に示す凹部１３を天板７の上面に設け、下面には図８に示す突起１８を形成したり、あるいは図２〜図５に示す凹部１３を天板７の上面に設け、通水孔１２の内面には、図７に示す溝１７を複数個設ける等、図２〜図９に示す種々の変形例を適宜組合せて使うことも本発明の範囲内であり、その場合には、個々の効果を合わせた作用効果が期待できる。
【００３８】
尚、図１０に示した天板７以外は、いずれも通水孔１２を天板７の中央部に１個のみ形成しているが、いずれのものにあっても図１０のように天板７の全面に亘って複数個の通水孔１２を設け、各通水孔１２に対して図２〜図９に示す細工を施してもよい。
具体的には、通水孔１２を複数個設ける場合、例えば、図１１に示すように天板７の面を縦横にそれぞれ整数等分した場合に形成される複数の図形の中心位置に通水孔１２を形成すると、各通水孔１２が受け持つ集水面積を一定にすることができる。その結果、集水効率を高めることができる。例えば、天板７の大きさを６０ｃｍ×６０ｃｍの場合に、これを縦横３等分すると、１つの区画を２０ｃｍ×２０ｃｍに区画できる。そしてそれぞれの区画の中心に通水孔１２を設け、図１１のように９個の通水孔１２を形成した。この９個の通水孔１２は同一の集水面積を受け持つ。
【００３９】
また図１１に示す天板７の場合、１区画が２０ｃｍ×２０ｃｍの正方形の区画になっているが、正方形に限らず長方形でもよい。いずれにせよ、天板７の形状は、舗道にこの貯水ユニット５を布設する場合、舗道に無駄なく配置できるように正方形か長方形にしておけば、いずれかを適宜使い分けることができ便利である。
さらに舗道に傾斜があるような場合には、貯水ユニット５を道路側から舗道端部にかけて傾斜させて布設する必要がある。このような場合には平面形状が長方形の貯水ボックス６、天板７からなる貯水ユニット５を、その短辺を傾斜方向に合わせると、舗道幅に対する単位長さ当りの通水孔１２の数を増加させることができるので、長辺を傾斜方向に合わせる場合に比してより集水効率を高めることができる。いずれにせよ、通水孔１２間の距離が縦方向または横方向、それぞれ等間隔に多数形成できるので、雨水を無駄なく集水することができる。
【００４０】
また、天板７に通水孔１２を１個設け、この通水孔１２の周りに凹部１３を１個設ける場合、集水効率を高めるためには凹部１３を大きく形成する必要があるが、通水孔１２を複数個設け、各通水孔１２の周りに凹部１３を設けた方が、凹部１３を天板７に分散して設けられる分、凹部１３をより小さくでき好ましい。このようにすると、天板７の機械的強度を確保する上でも望ましい。
具体的には、図１１の各通水孔１２の周りに凹部１３を設ければ、図４に示すように天板７の中央部に１個のみ設けたものより凹部１３の大きさを小さくできる。
【００４１】
また図１２は、天板７の平面図である。図１２に示すように、円周方向に複数の通水孔１２を等間隔で形成してもよい。この場合にも、図１１に示すものと同様な効果を得ることができる。
【００４２】
ところで天板７の大きさとしては、通常は６００ｍｍ×６００ｍｍ前後であるが、例えば車両が通過する可能性がある舗道に本発明の潅水システムを適用するような場合には、天板７が平面形状略正方形である場合ならその一辺が、長方形ならその長辺が最大５００ｍｍ未満になっていることが好ましい。何故ならば、舗道に隣接する店舗等に荷物を搬送するため、トラックが一時的に舗道に乗り上げる場合があるからである。例えば、２５トントラックの場合、タイヤの幅は２００ｍｍ×５００ｍｍなので、最大幅を５００ｍｍ未満にしておけば、タイヤが最悪でも貯水ボックス６内にすっぽり収まる位置に来ることはない。すなわち、タイヤの一部が必ず貯水ボックス６の側壁に掛かるため、貯水ボックス６が潰れ難いと考えられるからである。
【００４３】
ところで貯水ユニット５の貯水ボックス６、天板７とも樹脂で形成すれば、特に、天板７に対しては図２〜図９に示す形状の加工も容易で、製造し易い。しかも樹脂のリサイクル材も使用でき好ましい。但し、特に荷重負担が大きな場所に布設する貯水ユニット５にあっては、貯水ボックス６や天板７のいずれか、あるいは総てを金属製にすることも可能である。尚、樹脂製の天板７の場合には、多孔質の樹脂で形成できることは言うまでもない。
【００４４】
ところで前記各実施例では、本発明の潅水システム及び潅水システムに用いられる貯水ユニットを舗道に適用した例のみ示しているが、本発明の潅水システムは舗道に限らず、例えば、ビルの屋上にも布設できるし、公園内等の人が多く集まる場所において、特に夏季に周囲温度を下げたいような場所にも適用可能である。
【００４５】
以上説明したように本発明の潅水システムによれば、保水性ブロックと貯水ユニットとの間に透水性防砂部材を介在せしめてあるため、仮に一部に吸水性に劣る保水性ブロックがあったとしても、保水性ブロックを浸透して透水性防砂部材に至った雨水は水平方向に拡散し、多くの貯水ユニットの上、具体的には天板の表面に至る。その結果、各々の天板に形成されている通水孔から下方に落下して貯水ボックス内の貯水空間に溜まる。すなわち、透水性防砂部材の存在により、雨水がより均一に各貯水ユニットに行き渡るようになる。
また各貯水ユニットの天板には、雨水をより集め易く、またより素早く集める工夫が施されているため、雨水の集水効率も大幅に高めることができる。
【００４６】
以上のように本発明によれば、地中に埋設した貯水ボックスへの貯水量をより均一化でき、もって高温時の冷却効率を高めることのできる潅水システム及び潅水システムに用いられる貯水ユニットを提供することができる。
【図面の簡単な説明】
【００４７】
【図１】本発明の潅水システムの一実施例を示す概略断面図である。
【図２】本発明の潅水システムに用いられる貯水ユニットの天板の一例を示すもので、（ａ）は平面図、（ｂ）はその側面図である。
【図３】本発明の潅水システムに用いられる貯水ユニットの天板の別の例を示す側面図である。
【図４】本発明の潅水システムに用いられる貯水ユニットの天板のさらに別の例を示すもので、（ａ）は平面図、（ｂ）はその側面図である。
【図５】本発明の潅水システムに用いられる貯水ユニットの天板の別の例を示す側面図である。
【図６】本発明の潅水システムに用いられる貯水ユニットの天板の一例を示すもので、（ａ）は平面図、（ｂ）はその側面図である。
【図７】本発明の潅水システムに用いられる貯水ユニットの天板のさらに別の例を示すもので、（ａ）は平面図、（ｂ）はその側面図である。
【図８】本発明の潅水システムに用いられる貯水ユニットの天板の例を示すもので、（ａ）は側面図、（ｂ）は天板を下から見た平面図である。
【図９】本発明の潅水システムに用いられる貯水ユニットの天板の別の例を示すもので、（ａ）は側面図、（ｂ）は天板を下から見た平面図である。
【図１０】本発明の潅水システムに用いられる貯水ユニットの天板のさらに別の例を示す縦断面図である。
【図１１】本発明の潅水システムに用いられる貯水ユニットの天板の別の例を示す平面図である。
【図１２】本発明の潅水システムに用いられる貯水ユニットの天板のさらに別の例を示す平面図である。
【符号の説明】
【００４８】
１  保水性ブロック
２  砕石
３  サンドクッション
５  貯水ユニット
６  貯水ボックス
７  天板
８  透水性防砂部材
９  クッション性介在
１０  保水性ブロック
１１  雨
１２  通水孔
１３  凹部
１５  溝
１７  溝
１８  突起
２０  突起
【図１】
2008240388.tif 000003
【図２】
2008240388.tif 000004
【図３】
2008240388.tif 000005
【図４】
2008240388.tif 000006
【図５】
2008240388.tif 000007
【図６】
2008240388.tif 000008
【図７】
2008240388.tif 000009
【図８】
2008240388.tif 000010
【図９】
2008240388.tif 000011
【図１０】
2008240388.tif 000012
【図１１】
2008240388.tif 000013
【図１２】
2008240388.tif 000014